(57)【要約】【課題】  小型化されても電磁アクチュエータ上に上部ケースを効率良く配置し、固定できるセクタ駆動装置を提供する。【解決手段】  シャッタ基板１０と、このシャッタ基板上に載置されるセクタ４０駆動用の電磁アクチュエータ２０と、この電磁アクチュエータを上部側から押える板状の押え部材３０とを含むセクタ駆動装置１であって、シャッタ基板１０から押え部材３０が係止される位置決め部１１が立設され、押え部材３０は、前記位置決め部１１の先端部を受け入れる嵌合穴３１を底部に配置した凹部を備えている。レーザ光等を上記位置決め部１１の先端部に照射すると押え部材３０を溶着できる。嵌合穴３１は凹部の底部に配置されているので、溶融物を嵌合穴の周辺に集めることができる。また、凹部は溶融物の溜め部としても機能することになるので、溶融物が周辺に飛散することを抑制できる。【選択図】    図１
2005091530.tif 000002
【特許請求の範囲】
【請求項１】
シャッタ基板と、該シャッタ基板上に載置されるセクタ駆動用の電磁アクチュエータと、該電磁アクチュエータを前記シャッタ基板との挟持固定する板状の押え部材とを含むセクタ駆動装置であって、
前記シャッタ基板からは前記押え部材を位置決めする位置決め部が立設され、
前記押え部材には、前記位置決め部の先端部を受け入れる凹部が設けられるとともに、前記位置決め部の中間部と嵌合する嵌合穴が前記凹部の底部に設けられていることを特徴とするセクタ駆動装置。
【請求項２】
前記凹部は、前記嵌合穴に向かって傾斜するテーパ面を備えることを特徴とする請求項１に記載のセクタ駆動装置。
【請求項３】
前記位置決め部の先端部が、前記凹部内に位置するように、該位置決め部と前記押え部材との高さ位置が調整されていることを特徴とする請求項１に記載のセクタ駆動装置。
【請求項４】
前記位置決め部と前記嵌合穴とは、所定位置で嵌合するように成型されていることを特徴とする請求項１に記載のセクタ駆動装置。
【発明の詳細な説明】
【技術分野】
【０００１】
本発明は光学機器用のセクタ駆動装置に関する。より詳細には、小型化に適し、また組付け性にも優れているセクタ駆動装置に関する。
【背景技術】
【０００２】
近年、デジタルカメラ等の光学機器は急速に小型化が進んでいる。特に携帯電話に組み込まれるデジタルカメラは極めて小さなものとなっている。このようなカメラに内蔵されるセクタ駆動装置は更に微小なものとなる。その製造工程では、チリや異物などが混入することがないように配慮し、しかも精度良く組付けを行なうことが必要となる。
【０００３】
小型のセクタ駆動装置であっても、通常のセクタ駆動装置と同様に、シャッタ基板にセクタを駆動する電磁アクチュエータを備えている。この電磁アクチュエータは、一般に上部ケース或いは上部カバーと称される押え部材によって基板に固定される。特許文献１は、従来における押え部材の一般的な構造を開示している。この特許文献１では、カバー板（押え部材）が、ビスによりシャッタ地板（シャッタ基板）に固定されるように形成され、この両者の間に電磁アクチュエータが配置される。
【０００４】
【特許文献１】特開平９−１５２６４５号  公報
【発明の開示】
【発明が解決しようとする課題】
【０００５】
上記のように特許文献１では、押え部材がビスを用いて基板に留められている。しかしながら、ビスを用いて押え部材を固定できない程に、例えば近年の携帯電話に内蔵されるデジタルカメラは微小化している。そのため、押え部材を係止するために基板側から樹脂製の位置決めピンを立ち上げ、押え部材にはこの位置決めピンが差し込まれる穴部を設けている。そして、この位置決めピンの頭部をレーザ等で溶かして押え部材を溶着するという手法が採用されるようになっている。このような手法であれば、位置決めピンの頭部が溶けた後に固まった凝固片が押え部材を固定するように機能するので、ビスを用いる場合と比較して微細な部分でも固定できる。
【０００６】
しかしながら、押え部材に位置決めピン嵌合用の穴部を形成すると、押え部材の表面に凝固片が盛り上がった状態で存在する。また、位置決めピンの頭部から溶融して落ちた凝固前の溶融物が他に飛び散る場合がある。周部に飛び散った溶融物は、固まって凝固片となる。この凝固片はセクタ駆動装置内での異物であり、微小な装置内を汚染して動作不良の原因ともなる。また、押え部材の上面に盛り上がった凝固片は、後に他の部品を組み付ける際に障害となる場合がある。
【０００７】
よって、本発明の目的は、小型化されても電磁アクチュエータ上部に押え部材を効率良く固定でき、しかも押え部材を固定した後には前述したような障害を発生させることがないセクタ駆動装置を提供することである。
【課題を解決するための手段】
【０００８】
上記目的は、シャッタ基板と、該シャッタ基板上に載置されるセクタ駆動用の電磁アクチュエータと、該電磁アクチュエータを前記シャッタ基板との挟持固定する板状の押え部材とを含むセクタ駆動装置であって、前記シャッタ基板からは前記押え部材を位置決めする位置決め部が立設され、前記押え部材には、前記位置決め部の先端部を受け入れる凹部が設けられるとともに、前記位置決め部の中間部と嵌合する嵌合穴が前記凹部の底部に設けられているセクタ駆動装置によって達成される。
【０００９】
本発明によると、位置決め部の先端部を嵌合穴に挿入すれば、押え部材の上方側に出すことができる。よって、この位置決め部を樹脂等で形成しておき、レーザ光等を照射すると、位置決め部の先端部が溶融するので位置決め部に押え部材を溶着できる。ここで、上記嵌合穴は凹部の底部に配置されているので、溶融物を嵌合穴の周辺に集めることができる。よって、溶融物が固化した凝固片により、押え部材を位置決め部に固着させた構造を実現できる。また、上記凹部は、溶融物の溜め部としても機能することになるので、溶融物が周辺に飛散することを抑制できる。よって、押え部材を固定するときに周辺を汚染する事態を抑制できる。
【００１０】
また、前記凹部は、前記嵌合穴に向かって傾斜するテーパ面を備えた構造であることが望ましい。このような構造であれば、流動性のある溶融物を凹部の底に位置させた嵌合穴へ誘導できる。また、溶融物が固化した凝固片が押え部材の上面に突出することもないので、後工程での障害にもならない。
【００１１】
また、前記位置決め部の先端部が、前記凹部内に位置するように、該位置決め部と前記押え部材との高さ位置が調整されていることが望ましい。このように高さ調整しておくと、レーザ等で加熱され溶融された位置決め部が周部に飛散することをより確実に防止しつつ、溶融物を嵌合穴の周部に誘導できる。よって、押え部材を位置決め部に確実に固定できる。また、組み付け工程での効率化を図ることができ、周部への汚染を抑制することもできる。
【００１２】
そして、前記位置決め部と前記嵌合穴とは、所定位置で嵌合するように成型されていることが望ましい。このように設計しておけば、位置決め部に対して嵌合穴を容易に位置決めできるので、組み付け工程での効率化を図ることができる。
【発明の効果】
【００１３】
以上説明したように、本発明によれば、小型化したセクタ駆動装置でも、効率的に電磁アクチュエータを挟み込んで押え部材を配置できる。また、押え部材を設置後においては先に指摘した様な周辺への障害を発生させることがない。
【発明を実施するための最良の形態】
【００１４】
以下、図面を参照して本発明の一実施形態に係るセクタ駆動装置を説明する。図１は、実施形態に係るセクタ駆動装置１の構成を示した図である。図１（Ａ）は同装置１の平面図、図１（Ｂ）は同装置を右側から見たＣ−Ｃ線断面図である。
【００１５】
本セクタ駆動装置１は、シャッタ基板１０上にセクタ駆動用の電磁アクチュエータ２０を載置し、この電磁アクチュエータ２０上に押え部材としての上部ケース３０を配置した基本構成を有している。シャッタ基板１０は板状であるが、その後端側（図１では下側）は立ち上がっている。その内側に電磁アクチュエータ２０が配され、その上に上部ケース３０が配置されている。図１（Ｂ）によると、電磁アクチュエータ２０の構成をより明確に確認できる。電磁アクチュエータ２０のステータ２４には、励磁用のコイル２１が固定されている。ステータ２４の前端側には軸２３を中心に回転するロータ２２が配置されている。
【００１６】
シャッタ基板１０の平坦部の略中央部には、シャッタ開口１５が形成されている。このシャッタ基板１０の底部側（図１（Ｂ）で右側）にはシャッタ開口１５を開閉する羽根状のセクタ４０が揺動自在に配設されている。セクタ４０は複数枚の羽根状部材を含むが、ここでは参照符号４０でこれらを包括的に示している。図１（Ａ）ではセクタ４０を確認できないが、電磁アクチュエータ２０のロータ軸２３に接続された作動ピン２５が底部側に貫通しており、この作動ピン２５によってセクタ４０が揺動する。
【００１７】
上部ケース３０は、電磁アクチュエータ２０の上部をほぼ覆うように配設されている。この上部ケース３０は、２個の嵌合用の穴３１ａ、３１ｂを備えている。これらの嵌合穴３１ａ、３１ｂのそれぞれには、シャッタ基板１０から立ち上がる位置決め部としての位置決めピン１１ａ、１１ｂが嵌合されている。これらの嵌合穴３１ａ、３１ｂは、位置決めピン１１ａ、１１ｂを内部に受け入れて、その先端部が反対側に貫通することを許容する。すなわち、位置決めピン１１ａ、１１ｂの先端部は、上部ケース３０の嵌合穴３１ａ、３１ｂに差し込まれて、上面側に突出した状態となる。嵌合穴３１ａ、３１ｂは、凹部の底部に位置するように設定される。具体的には、環状に形成した縮径する方向に傾斜するテーパ面３２ａ、３２ｂによってすり鉢状となった凹部の底部中央に嵌合穴３１ａ、３１ｂを位置させた状態が形成される。上記嵌合穴３１ａ、３１ｂ周辺についてのより詳細な構成については後述することとする。
【００１８】
シャッタ基板１０から更にガイドピン１２が立ち上がっている。このガイドピン１２は図示するように円弧状の横断面を有し、ちょうど上部ケース３０の下端部に位置する様に配されている。上部ケース３０側にはこのガイドピン１２を受ける円弧状の溝部３３が形成されている。よって、シャッタ基板１０側から立ち上がる３本のピン１１ａ、１１ｂ、１２に対して、嵌合穴３１ａ、３１ｂ及び溝部３３がちょうど嵌る様にして上部ケース３０が電磁アクチュエータ２０上にシャッタ基板１０と挟み込むようにセットされる。なお、図１（Ａ）では３本のピン１１ａ、１１ｂ、１２を確認し易いようにハッチングを付している。
【００１９】
また、上部ケース３０の上面には、上方に突出するようにＦＰＣの位置決め用の突起３５ａ、３５ｂが形成されている。これら突起３５ａ、３５ｂは、その上部に配設されるフレキシブル基板（ＦＰＣ）５０を上部ケース３０上に位置決めする。ＦＰＣ５０と電磁アクチュエータ２０とを電気的に接続した後、セクタ駆動装置１はカメラ等の光学機器内にセットされる。図１（Ａ）はセクタ駆動装置１の構成を確認し易い様にＦＰＣ５０の図示を省略しているが、図１（Ｂ）ではＦＰＣ５０を図示している。なお、セクタ４０の外側に配設した参照符号６０で示す部材はセクタ押え板である。
【００２０】
図２（Ａ）は、図１（Ａ）におけるＡ−Ａ線断面図で上部ケース３０と位置決めピン１１との関係を確認できるように示している。同様に、図２（Ｂ）は、図１（Ａ）におけるＢ−Ｂ線断面図で上部ケース３０、電磁アクチュエータ２０及びシャッタ基板１０との関係を確認できるように示している。
【００２１】
図２（Ａ）で、上部ケース３０に形成した嵌合穴３１ａ、３１ｂにシャッタ基板１０から立ち上げた位置決めピン１１ａ、１１ｂが嵌合している様子が確認できる。また、嵌合穴３１ａ、３１ｂは、その上側が環状に形成されたテーパ面３２ａ、３２ｂにより囲まれた凹部ＤＰ内に位置している。すなわち、嵌合穴３１ａ、３１ｂは凹部ＤＰの底部に形成されていることが確認できる。また、図２（Ｂ）によると、電磁アクチュエータ２０の軸２３の上端が上部ケース３０に嵌合され、さらに電磁アクチュエータ２０全体が上部ケース３０により覆われている様子を確認できる。なお、これらの図２（Ａ）、（Ｂ）では、図１で包括的に示したセクタ４０の詳細が確認できるように示されている。図２に示すように、本セクタ駆動装置１は２枚のシャッタ羽根４０ａ、４０ｂを含んでいる。
【００２２】
図３は、図１のセクタ駆動装置１の上部ケース３０を拡大して示した図である。この図を参照して本セクタ駆動装置１に含む特徴的な構成についてより詳細に説明する。図３（Ａ）は上部ケース３０の平面及び左側を拡大して示した図である。また、同図（Ｂ）は、（Ａ）におけるＣ−Ｃ線断面図である。
【００２３】
図３（Ａ）で、２つの嵌合穴３１ａ、３１ｂの形状を比較すると、嵌合穴３１ｂの形状は略真円であるが、嵌合穴３１ａは円周上の一部に直線部（弦部）を含んでいる。図３（Ａ）では上下で対向するように２個の弦部ＬＮ−１、ＬＮ−２が形成されている。すなわち、嵌合穴３１ｂは単純な円形であるが、嵌合穴３１ａは一部に弦部ＬＮを含んだ擬似円形である。これらの穴部に差し込まれる前記位置決めピン１１は、横断面（図３の紙面と平行な面）の形状が、これら穴部と対応する形状に成型されている。よって、嵌合穴３１ａと位置決めピン１１ａとは所定位置のみで嵌合する。これにより組み付け工程で、簡易かつ確実に位置決めピン１１に対して上部ケース３０を位置決めできるので効率的な作業を行なえる。
【００２４】
そして、本セクタ駆動装置１の場合には前述した様に上部ケース３３が下端に溝部３３を備えている。この溝部３３には基板から立ち上がるガイドピン１２が係合する。よって、組付け工程において、上部ケース３０をより確実に位置決めしつつ、効率良く電磁アクチュエータ２０上に配置できる。
【００２５】
そして、図３（Ｂ）に示すように、嵌合穴３１ｂの周部には、この嵌合穴３１ｂに向かって傾斜する環状のテーパ面３２が形成されて凹部状となっている。しかも、この凹部ＤＰは押え部材３０の上面を掘り下げたように形成されている。この凹部ＤＰ内の空間に、シャッタ基板１０から立ち上がる位置決めピン１１ｂの先端部ＨＤが位置している。なお、位置決めピン１１はシャッタ基板１０と一体成型により、或いは基板面にピン状の部材を打ち込んで立設状態に設定される。この位置決めピン１１は加熱されたときに溶融する樹脂材等で形成されている。その先端部ＨＤを図示の様にレーザ光等で照射して溶融すると、その一部が溶融して下方へ流動する。これが硬化すると凝固片ＰＲとなる。この凝固片ＰＲは高さが低下した先端部ＨＤの上に付着してピン１１ｂと上部ケース３０との上面を溶着する。よって、従来のようにビス等を用いることなく、シャッタ基板１０側から延びた位置決めピン１１に押え部材３０を固定でき、その間に電磁アクチュエータ２０を確実に保持できる。
【００２６】
特に、図３（Ｂ）で例示する様に、位置決めピン１１ｂの先端部ＨＤが凹部ＤＰ内に収まる状態であれば、レーザ光等で加熱したときに溶け出した樹脂が周部に飛び散るという事態を抑制し、凹部ＤＰ内に留めることができる。そして、この溶融した樹脂で頭部の固着が行なえるので周部への飛散を防止ししながら、上部ケース３０を位置決めピン１１ｂに確実に固定できる。また、凹部ＤＰを形成する周壁は嵌合穴３１ｂに向いて傾斜するテーパ面３２ｂとなっているので、溶け出した溶融物を嵌合穴３１ｂ側に誘導して上部ケース３０の固着に寄与させることができる。また、凹部ＤＰは、上部ケース３０の上面から掘り下げた状態で存在するので、この後の製造工程で障害となることもない。
【００２７】
以上、本発明の好ましい一実施形態について詳述したが、本発明は係る特定の実施形態に限定されるものではなく、特許請求の範囲に記載された本発明の要旨の範囲内において、種々の変形・変更が可能である。上記実施形態では、より望ましい構造例として凹部ＤＰを掘り下げて形成するようにしたが、製造工程で障害とならない場合には上部ケース３０の上面に突出状態にして配置してもよい。
【図面の簡単な説明】
【００２８】
【図１】実施形態に係るセクタ駆動装置の構成を示した図であり、（Ａ）は同装置の平面図、（Ｂ）は同装置のＣ−Ｃ線断面図。
【図２】図１のセクタ駆動装置を正面から見た場合の構成について示し、（Ａ）は図１（Ａ）におけるＡ−Ａ線断面で上部ケースと位置決めピンとの関係を示した図、（Ｂ）は図１（Ａ）におけるＢ−Ｂ線断面で上部ケース、電磁アクチュエータ及びシャッタ基板との関係を示した図である。
【図３】図１のセクタ駆動装置の上部ケースを拡大して示した図であり、（Ａ）は上部ケースの平面及び左側を拡大して示した図、（Ｂ）は（Ａ）におけるＣ−Ｃ線断面での部分断面を拡大して示した図である。
【符号の説明】
【００２９】
１                  セクタ駆動装置
１０                シャッタ基板
１１ａ，１１ｂ      位置決めピン
２０                電磁アクチュエータ
３０                上部ケース
３１ａ，３１ｂ      嵌合穴
３２ａ，３２ｂ      テーパ面
ＤＰ                凹部
ＨＤ                位置決めピン先端部
【図１】
2005091530.tif 000003
【図２】
2005091530.tif 000004
【図３】
2005091530.tif 000005